(57)【要約】【課題】サイズ及び肉厚などが異なるカードを安心して簡単に装着できるカード用コネクタを提供すること。【解決手段】  一対の第１、第２フレーム及び第１、第２フレームの一端部を繋いだ第３フレームで三方が囲まれ、前方及び上方が開放された有底のカード収容穴が形成された電気絶縁体からなるコネクタハウジング２と、コネクタハウジングのカード収容穴内に配設されたコンタクト端子５、６と、コネクタハウジングのカード収容穴の開放部を覆う開閉カバー３と、を備え、開閉カバーの後方が第１、第２フレームに回動自在に枢着されている。【選択図】図１
2008305786.tif 000002
【特許請求の範囲】
【請求項１】
対向する一対の第１、第２フレーム及び該第１、第２フレームの一端部を繋いだ第３フレームで三方が囲まれ、前方及び上方が開放された有底のカード収容穴が形成され、該カード収容穴内にサイズ及び肉厚が異なるカードが装着可能な電気絶縁体からなるコネクタハウジングと、
該コネクタハウジングの前記カード収容穴内に配設されたコンタクト端子と、
前記コネクタハウジングの前記カード収容穴の開放部を覆う開閉カバーと、を備え、
前記開閉カバーはその後方が前記第１、第２フレームに回動自在に枢着されていることを特徴とするカード用コネクタ。
【請求項２】
前記開閉カバーは前記カード収容穴に装着される前記カードとしての第１、第２カードの装着状態を検知する検知部材を備え、前記カード収容穴に前記第１カード又は第２カードを装着するときは、前記第１カード又は第２カードを前記カード収容穴へ装着して前記開閉カバーを閉じ、前記開閉カバーの検知部材を前記第１カード又は第２カードの後端部に位置させて前記第１カード又は第２カードの装着状態を検知することを特徴とする請求項１に記載のカード用コネクタ。
【請求項３】
前記カードは第１、第２カードからなり、前記第１カードは前記第２カードに比して小さく形成され、前記カード収容穴に前記第１カードを装着するときは、前記第１カードにガイド部材を取付けて、前記カード収容穴へ装着することを特徴とする請求項１に記載のカード用コネクタ。
【請求項４】
前記カードは第１、第２カードからなり、前記カード収容穴は前記第１、第２カードのそれぞれを収容できる形状に形成されており、前記コンタクト端子は前記第１、第２カードのそれぞれのコンタクトと接触される第１、第２コンタクト端子からなることを特徴とする請求項１に記載のカード用コネクタ。
【請求項５】
前記第１コンタクト端子は前記コネクタハウジングの前記第３フレームに固定され、前記第２コンタクト端子は前記コネクタハウジングの底部に固定されていることを特徴とする請求項４に記載のカード用コネクタ。
【請求項６】
前記開閉カバーは、前記第１、第２フレームの外方側壁面を覆う一対の第１、第２側板と、これらの側板の上端を繋いで前記カード収容穴の上方の開放部を覆う天井板と、前記カード収容穴の前方の開放部を覆う前方蓋板と、を有する金属板で形成されており、前記前方蓋板が前記検知部材になっていることを特徴とする請求項２に記載のカード用コネクタ。
【請求項７】
前記コネクタハウジングは、前記第１、第２フレームのいずれか一方に前記カードの装着状態を検知する第１スイッチ手段及び前記開閉カバーの開閉状態を検知する第２スイッチ手段が設けられていることを特徴とする請求項１に記載のカード用コネクタ。
【請求項８】
前記第１スイッチ手段は、固定接点を有する第１固定コンタクト端子と、前記固定接点に接離される可動接点及びカードの装着により前記可動接点を前記固定接点から切離する作動部を有する第１可動コンタクト端子と、からなり、前記第２スイッチ手段は、固定接点を有する第２固定コンタクト端子と、前記固定接点に接離される可動接点及び前記開閉カバーの開閉操作に連動して前記可動接点を前記固定接点から切離する作動突起を有する第２可動コンタクト端子と、から構成されていることを特徴とする請求項７に記載のカード用コネクタ。
【請求項９】
前記第２可動コンタクト端子の前記作動突起は、前記開閉カバーの閉成操作に連動して前記第２スイッチ手段を一連のＯＦＦ−ＯＮ−ＯＦＦ動作させて、最後のＯＦＦ状態で前記作動突起が前記フレームに設けた係止穴に係止されて前記開閉カバーが閉成状態にロックされることを特徴とする請求項８に記載のカード用コネクタ。
【請求項１０】
前記カードは第１、第２カードからなり、前記第１カードは前記第２カードに比して長尺に形成され、前記第３フレームには前記第１カードの先端部が挿入される開口部が形成されており、前記第１カードが装着されたときに該第１カードの先端部が前記開口部に挿入されて位置決め固定されることを特徴とする請求項１に記載のカード用コネクタ。
【請求項１１】
前記ガイド部材は、前記第１カードの先端部の一部を露出させてその表面を覆う天井板と、前記天井板の両側辺から折曲させて前記第１カードの両側辺を挟持する挟持爪及びガイド辺と、で形成されていることを特徴とする請求項３に記載のカード用コネクタ。
【請求項１２】
前記ガイド部材は、前記天井板に設けた一方の挟持爪に隣接した箇所に前記第１カードの取付け方向を規制する規制部が形成されていることを特徴とする請求項１１に記載のカード用コネクタ。
【請求項１３】
前記コネクタハウジングの後方には金属製のシールドカバーが装着され、前記開閉カバーを金属材で形成し、前記金属製の開閉カバーが前記シールドカバーに枢着されていることを特徴とする請求項１に記載のカード用コネクタ。
【請求項１４】
前記ガイド部材は、前記天井板の上面に前記シールドカバーと協働して前記第２コンタクト端子との接触を補強する隆起部が形成されていることを特徴とする請求項１〜１３の何れかに記載のカード用コネクタ。
【発明の詳細な説明】
【技術分野】
【０００１】
本発明はパーソナルコンピュータや携帯型端末などの各種電子機器に取付けられて使用されるカード用コネクタに係り、詳しくは、外形サイズ及び肉厚が異なるメモリカード等の小型カードの差し込みが可能なカード用コネクタに関するものである。
【背景技術】
【０００２】
カード用コネクタは、例えば、パーソナルコンピュータや携帯型端末などの各種電子機器に取付けて、ＣＰＵ或いはメモリ用ＩＣなどを内蔵したカード、例えば、ＭＭＣ（Multi Media Card）カード或いはＳＤ（Super Density）カードなどの小型カードを差込んでこれら機器の機能を拡張するのに使用されている。
【０００３】
この種のカード用コネクタの代表的なものの１つは、例えば、下記特許文献１に開示されている。このカード用コネクタは、前方にカード差込口及び内部にカード収容穴を有するコネクタハウジングと、このカード収容穴の奥部に装着された複数本のコンタクト端子とを備え、差込口からサイズ及び肉厚が異なる２種類のカードを差込むことができる構成となっている。また、このハウジングには、カード検知スイッチが設けられて、それぞれのカードの装着状態が検知できるようになっている。
【０００４】
また、他の代表的なカード用コネクタは、下記特許文献２に開示されている。このコネクタは、前方及び上方が開放されたカード収容穴を設けたコネクタハウジングと、この収容穴の奥部に装着された複数本のコンタクト端子と、コネクタハウジングの上方開放部口を覆う蓋体とを備え、前方の開放部からサイズなどが異なる２種類のカードを差込むことができる構成となっている。
【特許文献１】特開２００３−１９７２９６号公報
【特許文献２】米国特許第６，６４２，６１４号明細書
【発明の開示】
【発明が解決しようとする課題】
【０００５】
これらのコネクタによれば、コネクタハウジングの前方に差込口が形成されて、この差込口からサイズ及び肉厚が異なる２種類のカードを差込み、カードのコンタクトをコネクタのコンタクト端子に電気的に接続させることができる。
【０００６】
しかしながら、これらのカード用コネクタは、いずれも組み立てられると差込口からカード収容穴の内部構造、例えば収容穴の形状及びコンタクト端子の配列状態などを検視することができなくなる。このため、ユーザーは、差込口にカードを差込む際に、カードに印刷された説明書き或いはマニュアルなどを確認し、それらの指示に従って差込口へ差込んでいる。ところが、このような確認作業は、面倒で煩わしく、ときどきこのような確認作業を行うことなくカードを差し込んで、この差し込みの途中でその挿入がストップされたときに差込口から抜き出して、方向或いは表裏を逆にして再度差込みを試みることが行われている。この差込みでも適正な接続がなされないときは、更にカードの前後を変更するなどした差込み作業が続行されている。このような接続作業は、面倒で煩わしいものとなり、しかもこのような不適切な差込みが強行されるとコネクタ或いはカードのいずれかが損傷或いは破損等してしまうことがある。この点、上記特許文献１に開示されたコネクタは、カードの装着状態を検知する検知スイッチが設けられているので、適正な装着状態を検知することができる。しかしながら、このような適正な装着がなされるまでは、上記の試行錯誤による接続作業が行われるので上記課題は解消されない。また、上記特許文献２に開示されたカード用コネクタは、上方の開口を蓋体で覆うようになっているのでカード収容穴の形成が容易になる。しかしながら、この蓋体はコネクタハウジングに接着剤などで接合されるので、組み立てられた状態では、同じ課題を有していることになる。
【０００７】
また、これらのカード用コネクタは、異なる肉厚のカードに適用される共用コネクタとなっているので、この肉厚の差によって、それぞれのカードのコンタクトとコネクタのコンタクト端子までの距離が異なってしまう。このため、肉厚の厚いカードに合わせてコンタクト端子の弾性力を調整すると、肉厚が薄いカードのときにはコンタクト端子に所要の弾性力を与えることができなくなり、逆に、薄いカードに合わせてコンタクト端子の弾性力を調整すると、厚いカードのときに、コンタクト端子が過度に変位して応力限界を超えてしまいコンタクト端子が塑性変形してしまうことがある。
【０００８】
また、肉厚だけでなくそのサイズ、すなわち外形の大きさが異なると、カード収容穴は、大型サイズ及び肉厚の厚いカードに合わせた大きさに形成される。そうすると、大型カードに適合するカード収容穴に小型サイズ及び薄肉厚のカードが収容されると、カード収容穴内では、両カードのサイズ及び肉厚の差分に相当する隙間が発生する。このため、小型サイズ及び薄肉厚のカードは、カード収容穴内で不安定な状態で収容されることになり、コネクタに何らかの衝撃などが加わると簡単に移動してしまい、その結果、カードとコネクタ間で接触不良を起し故障の原因となることがある。
【０００９】
そこで、本発明は、このような従来技術が抱える課題を解決するためになされたもので、本発明の目的は、カード装着の際にカードが収容される収容穴内を検視できるようにして、サイズ及び肉厚などが異なるカードを安心して簡単に装着できるカード用コネクタを提供することにある。
【００１０】
本発明の他の目的は、大型サイズのカードに代えて小型サイズのカードが装着されたときにも接触不良が発生しないようにしたカード用コネクタを提供することにある。
【００１１】
本発明のまた他の目的は、カードの誤装着をなくすることができるカード用コネクタを提供することにある。
【課題を解決するための手段】
【００１２】
上記目的を達成するために、本発明のカード用コネクタは、対向する一対の第１、第２フレーム及び該第１、第２フレームの一端部を繋いだ第３フレームで三方が囲まれ、前方及び上方が開放された有底のカード収容穴が形成され、該カード収容穴内にサイズ及び肉厚が異なるカードが装着可能な電気絶縁体からなるコネクタハウジングと、
該コネクタハウジングの前記カード収容穴内に配設されたコンタクト端子と、
前記コネクタハウジングの前記カード収容穴の開放部を覆う開閉カバーと、を備え、
前記開閉カバーはその後方が前記第１、第２フレームに回動自在に枢着されていることを特徴とする。
【００１３】
また、上記発明において、前記開閉カバーは前記カード収容穴に装着される前記カードとしての第１、第２カードの装着状態を検知する検知部材を備え、前記カード収容穴に前記第１カード又は第２カードを装着するときは、前記第１カード又は第２カードを前記カード収容穴へ装着して前記開閉カバーを閉じ、前記開閉カバーの検知部材を前記第１カード又は第２カードの後端部に位置させて前記第１カード又は第２カードの装着状態を検知することを特徴とする。
【００１４】
また、上記発明において、前記カードは第１、第２カードからなり、前記第１カードは前記第２カードに比して小さく形成され、前記カード収容穴に前記第１カードを装着するときは、前記第１カードにガイド部材を取付けて、前記カード収容穴へ装着することを特徴とする。
【００１５】
また、上記発明において、前記カードは第１、第２カードからなり、前記カード収容穴は前記第１、第２カードのそれぞれを収容できる形状に形成されており、前記コンタクト端子は前記第１、第２カードのそれぞれのコンタクトと接触される第１、第２コンタクト端子からなることを特徴とする。
【００１６】
また、上記発明において、前記第１コンタクト端子は前記コネクタハウジングの前記第３フレームに固定され、前記第２コンタクト端子は前記コネクタハウジングの底部に固定されていることを特徴とする。
【００１７】
また、上記発明において、前記開閉カバーは、前記第１、第２フレームの外方側壁面を覆う一対の第１、第２側板と、これらの側板の上端を繋いで前記カード収容穴の上方の開放部を覆う天井板と、前記カード収容穴の前方の開放部を覆う前方蓋板と、を有する金属板で形成されており、前記前方蓋板が前記検知部材になっていることを特徴とする。
【００１８】
また、上記発明において、前記コネクタハウジングは、前記第１、第２フレームのいずれか一方に前記カードの装着状態を検知する第１スイッチ手段及び前記開閉カバーの開閉状態を検知する第２スイッチ手段が設けられていることを特徴とする。
【００１９】
また、上記発明において、前記第１スイッチ手段は、固定接点を有する第１固定コンタクト端子と、前記固定接点に接離される可動接点及びカードの装着により前記可動接点を前記固定接点から切離する作動部を有する第１可動コンタクト端子と、からなり、前記第２スイッチ手段は、固定接点を有する第２固定コンタクト端子と、前記固定接点に接離される可動接点及び前記開閉カバーの開閉操作に連動して前記可動接点を前記固定接点から切離する作動突起を有する第２可動コンタクト端子と、から構成されていることを特徴とする。
【００２０】
また、上記発明において、前記第２可動コンタクト端子の前記作動突起は、前記開閉カバーの閉成操作に連動して前記第２スイッチ手段を一連のＯＦＦ−ＯＮ−ＯＦＦ動作させて、最後のＯＦＦ状態で前記作動突起が前記フレームに設けた係止穴に係止されて前記開閉カバーが閉成状態にロックされることを特徴とする。
【００２１】
また、上記発明において、前記カードは第１、第２カードからなり、前記第１カードは前記第２カードに比して長尺に形成され、前記第３フレームには前記第１カードの先端部が挿入される開口部が形成されており、前記第１カードが装着されたときに該第１カードの先端部が前記開口部に挿入されて位置決め固定されることを特徴とする。
【００２２】
また、上記発明において、前記ガイド部材は、前記第１カードの先端部の一部を露出させてその表面を覆う天井板と、前記天井板の両側辺から折曲させて前記第１カードの両側辺を挟持する挟持爪及びガイド辺と、で形成されていることを特徴とする。
【００２３】
また、上記発明において、前記ガイド部材は、前記天井板に設けた一方の挟持爪に隣接した箇所に前記第１カードの取付け方向を規制する規制部が形成されていることを特徴とする。
【００２４】
また、上記発明において、前記コネクタハウジングの後方には金属製のシールドカバーが装着され、前記開閉カバーを金属材で形成し、前記金属製の開閉カバーが前記シールドカバーに枢着されていることを特徴とする。
【００２５】
また、上記発明において、前記ガイド部材は、前記天井板の上面に前記シールドカバーと協働して前記第２コンタクト端子との接触を補強する隆起部が形成されていることを特徴とする。
【発明の効果】
【００２６】
本発明は上記構成を備えることにより以下に示すような優れた効果を奏する。すなわち、本発明によれば、カード用コネクタは、カードを装着するときに開閉カバーが開成されるので、この開成状態においてカード収容穴の内部を検視することが可能になる。したがって、カード装着時に装着するカードの形状及び接点の位置とカード収容穴の形状及びコンタクト端子の配列との照合が可能になり、この照合後にカードを装着することにより、カードを誤装着することなく安心して簡単に装着できる。
【００２７】
また、本発明の好ましい態様においては、開閉カバーに検知部材を設けたことで、このカード装着の際に装着されるカードが正規の位置まで差込まれていないと、検知部材がカードの後端部に衝突してカバーの閉成ができなくなるので、コネクタとカードとの不完全接続を無くすることができる。
【００２８】
また、本発明の好ましい態様においては、カード収容穴へ比較的小さな第１カードを装着する際に、この第１カードにガイド部材を取付けて装着することにより、第１カードをカード収容穴内に安定した状態で収容できる。すなわち、例えば第２カードが第１カードに比べて幅長が幅広で、しかも肉厚が大きい場合、カード収容穴を第２カードに合わせて形成すると、このカード収容穴に第１カードが装着されときに第２カードとの差分に相当する隙間がカード収容穴内に発生するが、第１カードにガイド部材を取付けて装着することにより、ガイド部材により隙間が埋められて第１カードを安定した状態で収容することができる。
【００２９】
また、本発明の好ましい態様によれば、カード収容穴は、サイズ及び肉厚が異なる第１、第２カード、例えばＳＤカード及びＭＭＣカード等を収容できる形状に形成すると共に、このカード収容穴内にそれぞれのカードのコンタクトと接触する第１、第２コンタクト端子を装着することにより、カード用コネクタをサイズ及び肉厚の異なる複数種類のカードの共用コネクタとして使用することができる。
【００３０】
また、本発明の好ましい態様によれば、開閉カバーは、第１、第２フレームの外方側壁面を覆う一対の第１、第２側板と、これらの側板の上端を繋いでカード収容穴の上方の開放部を覆う天井板と、カード収容穴の前方の開放部を覆う前方蓋板とを有する金属板で形成されて、この前方蓋板が検知部材となっているので、開閉カバーは、所定大きさの金属板を打ち抜き板金加工により簡単に作製できる。また、前方蓋板が検知部材になって開閉カバーの閉成時にカード収容穴の前方開放部が覆われるので、収容穴内への塵などの侵入が阻止されて安定した接続状態を維持できる。更に、この開閉カバーは、金属板で形成されているので、コネクタハウジングに取付けられるとコネクタを電磁遮蔽することができる。
【００３１】
また、本発明の好ましい態様によれば、第１スイッチ手段により、カードが正規の状態に装着されているか否かを簡単に検知でき、また、第２スイッチ手段により、開閉カバーの開閉状態を検知できるので、カードの不完全装着及び開閉カバーの不完全閉成を未然に防止することができる。
【００３２】
また、本発明の好ましい態様によれば、第２スイッチ手段により、開閉カバーの開閉状態を検知できるとともに、開閉カバーをロックすることができる。
【００３３】
また、本発明の好ましい態様によれば、第１カードの装着時に、この第１カードの先端部が第３フレームに形成された開口部に挿入されて位置決め固定される。したがって、ガイド部材による位置決めと併せてこの開口部への挿入によって第１カードが位置決めされるので、カード収容穴内で正確に位置決め固定される。
【００３４】
また、本発明の好ましい態様によれば、ガイド部材は、第１カードの先端部の一部を露出させてその表面を覆う天井板と、この天井板の両側辺から折曲させてカードの両側辺を挟持する挟持爪及びガイド辺とで形成することにより、金属板の打ち抜き折曲加工により簡単に作成できる。また、挟持爪により第１カードが挟持されるので、ガイド部材が第１カードから脱落することがなくなる。
【００３５】
また、本発明の好ましい態様によれば、ガイド部材に規制部を設けることにより、第１カードが誤った方向から取付けられることを防止できる。
【００３６】
また、本発明の好ましい態様によれば、コネクタハウジングは、金属製のシールドカバー及び開閉カバーで覆われるので、コネクタが簡単に電磁遮蔽される。また、開閉カバーをシールドカバーに枢着させることにより、コネクタの組み立てが簡単になる。
【００３７】
また、本発明の好ましい態様によれば、ガイド部材に隆起部を設けることにより、カード装着時にシールドカバーと協働してカードのコンタクトと第２コンタクト端子との接触を良好に維持することができる。
【発明を実施するための最良の形態】
【００３８】
以下、図面を参照して本発明の最良の実施形態を説明する。但し、以下に示す実施形態は、本発明の技術思想を具体化するためのカード用コネクタを例示するものであって、本発明をこのカード用コネクタに特定することを意図するものではなく、特許請求の範囲に含まれるその他の実施形態のものも等しく適応し得るものである。
【実施例１】
【００３９】
図１に示すように、カード用コネクタ（以下、コネクタという）１は、サイズ及び肉厚が僅かに異なる２種類の第１カード及び第２カード、例えば、ＳＤ（Super Density）カード１３及びＭＭＣ（Multi Media Card）カード１５に適用される。そこで、先ず、これらのカードの概要を説明する。
【００４０】
ＳＤカード１３は、長手方向の長さＬ１、前後端部１３ａ、１３ｂの幅長Ｗ１、Ｗ２（Ｗ１<Ｗ２）及び肉厚ｔ１を有する長方形の板状体からなり、内部にＩＣチップが収容されて、外周囲が電気絶縁性の合成樹脂でモールドされた成型体で形成されている。このＳＤカード１３の側方の一辺（第１の側辺）１３１に位置決め突起１３ｃ及び係止溝１３ｅが設けられ、他の辺１３２は直線状になっている。また、このＳＤカード１３の表面には、内部のＩＣチップに接続された複数個のコンタクト１３ｄが設けられている。
【００４１】
ＭＭＣカード１５もＳＤカード１３とほぼ同じ形状を有し、長手方向の長さＬ２、前後端部１５ａ、１５ｂの幅長Ｗ３、Ｗ４（Ｗ３<Ｗ４）及び肉厚ｔ２を有するモールド成型体からなり、このＭＭＣカード１５も、一辺（第１の側辺）１５１に位置決め突起１５ｃが設けられ、他辺（第２の側辺）１５２が直線状をなし、表面に複数個のコンタクト１５ｄが設けられている。なお、コンタクト１３ｄ、１５ｄは、図１に示す各カード１３、１５の裏側に設けられており、破線で示されている。これらのＳＤ及びＭＭＣカード１３、１５の幅長、長さ及び肉厚の関係は、Ｗ３>Ｗ１、Ｌ１>Ｌ２、ｔ２>ｔ１となっている。
【００４２】
コネクタ１は、これらのＳＤ及びＭＭＣカード１３、１５が装着されるカード収容穴２４を有するコネクタハウジング（以下、ハウジングという）２と、このハウジング２に収容されてそれぞれのカードのコンタクト１３ｄ、１５ｄに電気的に接触される第１、第２コンタクト端子５、６と、ハウジング２の上面に装着される開閉カバー３及びシールドカバー４と、を有している。ＳＤカード１３をコネクタ１へ装着するときは、このＳＤカード１３にガイド部材１４が取付けられる。
【００４３】
以下、これらのハウジング２、開閉カバー３、シールドカバー４、及び第１、第２コンタクト端子５、６の構成を説明する。
図３及び図４は、ハウジング２の構成の理解を容易にするために、ハウジング２を異なる角度から斜視して図示したもので、ハウジング２は、一対の対向する第１、第２フレーム２１、２２及びこれらの第１、第２フレーム２１、２２の端部を繋ぐ第３フレーム２３で囲まれており、前方、上方及び下方の一部の三方が開放された浅底のカード収容穴２４を有する電気絶縁性の合成樹脂成型体で形成されている。このハウジング２は、その表面が前方から後方に向けて途中で２つに区分されて、前方は開閉カバー３で覆われる開閉カバー装着部ｉ及び後方はシールドカバー４が装着されるシールドカバー装着部iiとなっている。
【００４４】
一対の第１、第２フレーム２１、２２は、ＭＭＣカード１５の最も幅広の幅長Ｗ４より僅かに幅広の間隔を空けて設けられ、最も長いＳＤカード１３の長さＬ１より僅かに長い長さを有し、所定太さの角型の柱状体で形成されている。すなわち、第１フレーム２１は、図３Ｂ及び図４Ａに示すように、表裏壁面２１Ａ、２１Ｂ及び内外壁面２１Ｃ、２１Ｄを有する角柱体で形成されている。また、第２フレーム２２も同様に、表裏壁面２２Ａ、２２Ｂ及び内外壁面２２Ｃ、２２Ｄを有する角柱体で形成されている。更に、第３フレーム２３も表裏壁面２３Ａ、２３Ｂ及び内外壁面２３Ｃ、２３Ｄを有する所定太さの角柱体で形成されている。
【００４５】
第１フレーム２１は、第２フレーム２２より若干太く、図３Ｂ及び図４Ｂに示すように、この第１フレーム２１の前後方向の２箇所に第１、第２スイッチ装着部Ｓ１、Ｓ２が設けられている。第１スイッチ装着部Ｓ１には、ＳＤ及びＭＭＣカード１３、１５の装着状態を検知するスイッチ部材が取付けられ、第２スイッチ装着部Ｓ２には開閉カバー３の開閉状態を検知するスイッチ部材が取付けられる。
【００４６】
第１スイッチ装着部Ｓ１は、図４Ｂに示すように、第１フレーム２１の裏壁面２１Ｂから表壁面２１Ａへ向かって所定の深さに切り欠いた凹状窪２１１と、この凹状窪２１１に連通した２本の取付け溝２１２、２１３とからなり、これらは第３フレーム２３の近傍に設けられている。また、取付け溝２１２は、第１フレーム２１の裏壁面２１Ｂに形成され、その溝幅は後述する可動コンタクト端子７が差込まれる幅長となっている。この第１フレーム２１の表壁面２１Ａには可動コンタクト端子７の取付けタブ７Ｅが挿入される挿通溝２１２'が形成されている（図４Ａ参照）。また、取付け溝２１３は第１フレーム２１の裏壁面２１Ｂに形成されており、その溝幅は後述する固定コンタクト端子８が差込まれる幅長となっている。
【００４７】
また、第２スイッチ装着部Ｓ２は、図４Ｂに示すように、第１フレーム２１の外壁面２１Ｄから所定深さ窪んだ凹状窪２１４と、この凹状窪２１４に連通した２本の取付け溝２１５、２１６とで形成されている。この第２スイッチ装着部Ｓ２には、開閉カバー３の開閉状態を検知するスイッチ部材が取付けられる。更に、この第１フレーム２１の外壁面２１Ｄは、その前方部が外側へ膨出し、後方の第３フレーム２３の近傍部は段差を経て前方部より一段後退した平坦面２１Ｄ'となっており、この平坦面２１Ｄ'にシールドカバー４が係止される係止突起２１Ｐが形成されている。
【００４８】
第１フレーム２１の内壁面２１Ｃは、図３Ａ及び図３Ｂに示すように、その前方部は内壁面２１Ｃに対向する第２フレーム２２の内壁面２２Ｃとの間に所定の幅長ＷＨ４を有しているが、第１スイッチ装着部Ｓ１の近傍に傾斜面２１Ｃ'が形成されることで、この傾斜面２１Ｃ'より後方部（つまり奥部）がカード収容穴２４側に突出し、以って奥部では第２フレーム２２の内壁面２２Ｃとの間が縮幅され、幅長ＷＨ３となっている。傾斜面２１Ｃ'はＳＤ及びＭＭＣカード１３、１５が誤った状態で装着された際には、このＳＤ及びＭＭＣカード１３、１５の位置決め突起１３ｃ、１５ｃが衝突して更なる押し込みをブロックし、誤装着を阻止するものである。反対に、ＳＤ及びＭＭＣカード１３、１５が適正な状態で装着された際には、その押し込みをスムーズにするガイド面となるものである。第１フレーム２１の裏壁面２１Ｂには、その前方に取付けタブが装着される取付け溝２１Ｔが形成されている。
【００４９】
一方、第２フレーム２２の外壁面２２Ｄは、図３Ｂに示すように、その前方部が外側へ膨出し、後方部の第３フレーム２３の近傍は段差を経て前方部より一段後退した平坦面２２Ｄ'となっており、この平坦面にシールドカバー４が係止される係止突起２２Ｐが形成されている。外壁面２２Ｄの前方部には、取付けタブが装着される取付け溝２２Ｔが形成されている。
【００５０】
第３フレーム２３は、図４Ａに示すように、表壁面２３Ａ及び外壁面２３Ｄに第１コンタクト端子５が装着される幅長の複数本の取付け溝２３１が略等間隔に形成されている。また、内壁面２３Ｃには、幅狭のＳＤカード１３の前端部１３ａが挿入される大きさの開口２３２が形成されている（図３Ｂ参照）。この開口２３２は、ＳＤカード１３の前端部１３ａが差し込まれる大きさ、すなわち、長手方向の幅長がＳＤカード１３の幅長Ｗ１より若干長く、高さがこのＳＤカード１３の肉厚ｔ１より若干高く形成されて、この開口へＳＤカード１３の前端部１３ａが差し込まれたときに、このＳＤカード１３の位置決め固定がなされる。
【００５１】
第１、第２フレーム２１、２２間は、図３及び図４Ａに示すように、第３フレーム２３から各第１、第２フレーム２１、２２の前方に向かって底板２５で連結されている。すなわち、各第１、第２フレーム２１、２２の裏壁面２１Ｂ、２２Ｂが所定厚の底板２５で連結されている。この底板２５は、両フレーム２１、２２間を連結する奥底板２５Ａと、この奥底板２５Ａから各第１、第２フレーム２１、２２に沿って分割されて延出された側底板２５Ｂ、２５Ｃとで形成されている。奥底板２５Ａには、第２コンタクト端子６が取付けられる複数本の取付け溝２５１が略等間隔に形成されている。また、第１、第２フレーム２１、２２に近接した箇所には、後述するガイド部材１４の挟持爪１４Ｂ、１４Ｄが嵌め込まれてその移動をガイドする浅底のガイド溝２５Ｂ'、２５Ｃ'が形成されている（図３Ｂ及び図４Ａ参照）。
【００５２】
このように第１、第２フレーム２１、２２及び第３フレーム２３で三方が囲まれることによりカード収容穴２４が形成されるが、図３Ａに示すように、第１、第２フレーム２１、２２の内壁面２１Ｃ、２２Ｃ間の間隔ＷＨ４及び内壁面２２Ｃと傾斜面２１Ｃ'との間隔ＷＨ３は、幅広のＭＭＣカード１５を挿入できるようにＭＭＣカード１５の幅長Ｗ４、Ｗ３より若干広く形成されている。また、前端部から開口２３２の奥部へ至る長さＬＨ１は、ＳＤカード１３が差込めるようにＳＤカード１３の長さＬ１とほぼ等しく形成されている。なお、前端部から第３フレーム２３の内壁面２３Ｃまでの長さＬＨ２は、ＭＭＣカード１５の長さＬ２とほぼ等しく形成されている。
【００５３】
開閉カバー３は、図５に示すように、ハウジング２のカード収容穴２４を覆うもので、カード収容穴２４の上方開放部を覆う天井板３１と、この天井板３１の両側端から下方へ折曲されてハウジング２の各側壁面を覆う一対の側板３２、３３と、同様に天井板３１の前方から下方へ折曲されてカード収容穴２４の前方開放部を覆う前方蓋板３４とを有し、金属板の打ち抜き折曲加工で形成されている。この前方蓋板３４は、カードの不適切な装着状態を検知する検知部材となっている。両側板３２、３３と前方蓋板３４との間には隙間３４１、３４１が形成されている。一対の側板３２、３３は、後方へ所定長さ延出されて、これらの延出部３２Ａ、３３Ａの端部には互いに対向する側板面に向けて突出した枢軸突起３２１、３３１が設けられている。これらの延出部３２Ａ、３３Ａは弾性を有し、ハウジング２への開閉カバー３の取付けの際は、ハウジング２の側壁面に取付けられたシールドカバー４の側板４２、４３に圧接挟持される。
【００５４】
更に、一方の側板３２には、前方付近に開口３２２が形成されている。この開口３２２は、スイッチ部材９の係止突起９Ａが挿入される大きさを有する係止穴となっている。この開閉カバー３は、金属板材で形成されているので、ハウジング２に装着されたときに外部ノイズをシールドする電磁遮蔽部材となる。
【００５５】
シールドカバー４は、図６に示すように、ハウジング２のシールドカバー装着部iiに取付けられるもので、この装着部分の上方を覆う細長な天井板４１と、この天井板４１の両端から下方へ折曲された一対の側板４２、４３とを有し、金属板の打ち抜き折曲加工により形成されている。天井板４１には、複数本のスリット４１１が略等間隔に形成されている。この間隔は、ハウジング２に装着される第１コンタクト端子５と対応し、これらのスリット４１１の幅長は、第１コンタクト端子５とシールドカバー４とが非接触となるような間隔になっている。
【００５６】
次に、側板４２、４３の構造について説明する。なお、この側板４２、４３は同じ形状を有しているので、一方の側板４２の形状のみについて説明する。側板４２には、ハウジング２の係止突起２１Ｐに係止される係止穴４２１と、開閉カバー３の枢軸突起３２１が枢着される枢着穴４２２と、基板、例えばプリント配線基板へ取付けられる一対の取付けタブ４２Ａ、４２Ａとが設けられている。ちなみに他の側板４３にも同様の係止穴、枢着穴及び取付けタブ（図示省略）が設けられている。これらの側板４２、４３は弾性を有し、ハウジング２への取付けの際は、ハウジング２の各外壁面２１Ｄ'、２２Ｄ'に圧接挟持される。また、このシールドカバー４を金属板材で形成することにより、ハウジング２に装着したときに、外部ノイズをシールドする電磁遮蔽部材となる。
【００５７】
図７はガイド部材を示し、図７Ａは斜視図、図７Ｂは図７Ａのガイド部材を１８０度回転した斜視図、図７Ｃは図７Ａのガイド部材をＸ２方向からみた側面図である。
ハウジング２内のカード収容穴２４は、ＳＤカード１３より大きいＭＭＣカード１５に合わせた大きさに形成されているので、ＭＭＣカード１５より肉薄で幅狭のＳＤカード１３が挿入されると、両カード１３、１５の肉厚及び幅長の差分に相当する隙間がカード収容穴２４内のＳＤカード１３の周囲に発生する。このような隙間が発生すると、カード収容穴２４内ではＳＤカード１３が不安定になり、振動等が加わるとＳＤカード１３がカード収容穴２４内を簡単に移動しコンタクト同士の接続不良を起す恐れがある。ガイド部材１４はこのような不都合を回避するために使用されるものである。
【００５８】
このガイド部材１４は、ＳＤカード１３の前端部１３ａの一部分を露出させた状態でＳＤカード１３の表面を覆う大きさの天井板１４１と、この天井板１４１の長手方向の両側端縁から下方へ折曲された第１、第２側板１４２、１４３とを有し、金属板の打ち抜き折曲加工により形成されている。天井板１４１は、その前方に表面の一部を上方へ突出させた隆起部１４Ａが形成されている。この隆起部１４Ａは、ＳＤカード１３がカード収容穴２４へ挿入されたときに、シールドカバー４と協働してＳＤカード１３のコンタクト１３ｄと第２コンタクト端子６との電気的接触を良好な状態に維持する働きをする。第１側板１４２には、その前方に挟持爪１４Ｄが設けられている。この挟持爪１４Ｄは第１側板１４２の端部を第２側板１４３方向に折り曲げることによりＳＤカード１３が挟み込まれるように鉤状に形成される。
【００５９】
また、第２側板１４３には、長手方向の前後にＳＤカード１３の一側辺に挟持される一対の挟持爪１４Ｂ、１４Ｂと、これらの挟持爪１４Ｂ、１４Ｂ間に設けられたガイド片１４Ｃとが設けられている。各挟持爪１４Ｂ、１４Ｂは第２側板１４３の端部を第１側板１４２方向に折り曲げることによりＳＤカード１３が挟み込まれるように鉤状に形成される。ガイド片１４Ｃは、カード収容穴２４への挿入時に第２フレーム２２の内壁面２２Ｃに当接されて、ＳＤカード１３の挿入をガイドする働きをする。一対の挟持爪１４Ｂ、１４Ｂとガイド片１４Ｃとの間には、スリットを設けて各挟持爪１４Ｂ、１４Ｂを分離して、これらの挟持爪１４Ｂ、１４Ｂに弾性が付与されると好ましい。
【００６０】
この構成のガイド部材１４は、ＳＤカード１３をコネクタ１へ装着する前に、ＳＤカード１３の前端部１３ａ近傍に取付けることによりＳＤカード１３がコネクタ１のカード収容穴２４に不適切な状態で装着されることを防止できる。すなわち、ＳＤカード１３を図１に示す状態、すなわち、ＳＤカード１３の下方（裏面）にコンタクト１３ｄが位置する状態にして、図７Ａに示すガイド部材のＸ１方向からガイド部材１４に挿入すると、ＳＤカード１３の第１の側辺１３１が一方の挟持爪１４Ｄに、他辺１３２が他方の挟持爪１４Ｂ、１４Ｂに挟持されるのでＳＤカード１３が脱落することがない。この取付け状態は適正な取付けとなるので、このままの状態でカード収容穴２４内へ装着することにより、適正な接続が可能となる。なお、ＳＤカード１３をガイド部材１４のＸ２方向から差込もうとすると、位置決め突起１３ｃが挟持爪１４Ｄ又は１４Ｂに衝突して差込みがブロックされ、取付けができない。また、図１に示すＳＤカード１３をその表裏を逆にしてガイド部材１４に差し込もうとした場合も、同様に差し込みがブロックされる。これにより、ガイド部材１４へのＳＤカード１３の誤取付けを防止できる。なお、このガイド部材１４は、金属板で形成したが、電気絶縁性の合成樹脂の成型体で形成してもよい。
【００６１】
図８は第１、第２コンタクト端子５、６を示している。第１コンタクト端子５は、一端にＭＭＣカード１５のコンタクト１５ｄと接触される接点５Ａと、他端にリード線に半田接続される接続部５Ｂと、この接続部５Ｂの近傍に設けられたハウジング２への固定部５Ｃとを有し、所定の幅長、長さ及び肉厚を有する良導電性の弾性帯状金属片で形成されている。この第１コンタクト端子５は、ハウジング２の第３フレーム２３に取付けられて、ＭＭＣカード１５のコンタクト１５ｄと電気的に接続される。第２コンタクト端子６は、一端にＳＤカード１３のコンタクト１３ｄと電気的に接続される接点６Ａと、他端にリード線に半田接続される接続部６Ｂと、この接続部６Ｂの近傍に設けられたハウジング２への固定部６Ｃとを有し、所定の幅長、長さ及び肉厚を有する良導電性の弾性帯状金属片で形成されている。この第２コンタクト端子６は、ハウジング２の奥底板２５Ａに取付けられて、ＳＤカード１３のコンタクト１３ｄと接続される。
【００６２】
図９は第１スイッチ手段ＳＷ１を構成する第１スイッチ部材を示している。この第１スイッチ手段ＳＷ１は、可動接点を有する可動コンタクト端子７と、固定接点を有する固定コンタクト端子８とで構成されている。可動コンタクト端子７は、先端に設けた可動接点７Ａと、この接点から若干離れた個所に設けられて各カード１３、１５の第１の側辺１３１、１５１に当接される突出湾曲部７Ｃと、これらの可動接点７Ａ及び突出湾曲部７Ｃに弾性を付与する湾曲部７Ｄと、後端に設けたリード線と半田接続される接続部７Ｂと、この接続部７Ｂの近傍に設けてハウジング２へ固定される取付けタブ７Ｅとを有し、所定の幅長、長さ及び肉厚を有する良導電性の弾性帯状金属片で形成されている。突出湾曲部７Ｃは、第１スイッチ手段ＳＷ１の作動部となっている。固定コンタクト端子８は、先端に設けられた固定接点８Ａと、後端に設けたリード線と半田接続される接続部８Ｂと、この接続部８Ｂの近傍に設けてハウジング２へ固定される取付けタブ８Ｃとを有し、所定の幅長、長さ及び肉厚を有する良導電性の弾性帯状金属片で形成されている。
【００６３】
図１０は第２スイッチ手段ＳＷ２を構成する第２スイッチ部材を示している。この第２スイッチ手段ＳＷ２は、可動接点を有する可動コンタクト端子９と、固定接点を有する固定コンタクト端子１０で構成されている。可動コンタクト端子９は、先端に設けた係止突起９Ａと、この係止突起９Ａの近傍に設けた可動接点９Ｃと、リード線に半田接続される接続部９Ｂと、この接続部９Ｂ近傍に設けられてハウジング２へ固定される取付けタブ９Ｄとを有し、所定の幅長、長さ及び肉厚を有する良導電性の弾性帯状金属片で形成されている。係止突起９Ａは、開閉カバー３の側板３２の内面に当接してこの可動コンタクト端子９の可動接点９Ｃを固定コンタクト端子１０の固定接点１０Ａに接触させると共に開閉カバー３をロックする働きをする。固定コンタクト端子１０は、先端に設けられた固定接点１０Ａと、リード線に半田接続される接続部１０Ｃと、この接続部１０Ｃの近傍に設けられてハウジング２へ固定される取付けタブ１０Ｂとを有し、所定の幅長、長さ及び肉厚を有する良導電性の弾性帯状金属片で形成されている。
【００６４】
図１１は一対の取付けタブを示している。これらの取付けタブは、左右の取付けタブ１１Ｌ、１１Ｒからなり、ハウジング２の底部に取付けてコネクタ１を基板、例えばプリント配線基板へ固定するものである。これらの取付けタブのうち、左取付けタブ１１Ｌは、ハウジング２の装着穴へ挿入するハウジング固定部１１１と、このハウジング固定部１１１の一端から延出され、基板へ半田により固定される基板固定部１１２とを有し、略Ｌ字状をした金属片で形成されている。他方の右取付けタブ１１Ｒも同じようにハウジング固定部１１１及び基板固定部１１２を有するもので、左右取付けタブ１１Ｌ、１１Ｒはハウジング固定部１１１に対する基板固定部１１２、１１２の延出方向が異なっている。
【００６５】
次に、図１〜図１３を参照して、これらの部品を使用したコネクタ１の組み立て手順を説明する。先ず、図３及び図４に示すハウジング２に図８に示す第１、第２コンタクト端子５、６を取付ける。第１コンタクト端子５の取付けは、その固定部５Ｃをハウジング２の第３フレーム２３の取付け溝２３１内への圧入固定することにより行われる。この取付けにより、第１コンタクト端子５は、図１３Ｂに示すように、その接点５Ａがカード収容穴２４内へ位置し、接続部５Ｂが第３フレーム２３の後方へ突出した状態となる。第２コンタクト端子６は、奥底板２５Ａの取付け溝２５１に取付けられる。この第２コンタクト端子６の取付けは、その固定部６Ｃを奥底板２５Ａの背面から取付け溝２５１を通して上方へ向くようにインサート成形することにより行われる。この取付けにより、第２コンタクト端子６は、図１３Ｂに示すように、その接点６Ａがカード収容穴２４内へ位置し、接続部６Ｂが奥底板２５Ａの下面へ突出した状態となる。
【００６６】
続いて、このハウジング２の第１、第２スイッチ装着部Ｓ１、Ｓ２に、図９及び図１０に示す第１、第２スイッチ部材を取付ける。第１スイッチ装着部Ｓ１への第１スイッチ部材の取付けは、可動コンタクト端子７を一方の取付け溝２１２に、固定コンタクト端子８を他方の取付け溝２１３にそれぞれ差込んで固定する。同様に第２スイッチ装着部Ｓ２への第２スイッチ部材の取付けは、可動コンタクト端子９を取付け溝２１５に、固定コンタクト端子１０を取付け溝２１６へそれぞれ差込んで固定する。第１、第２スイッチ装着部Ｓ１、Ｓ２に第１、第２スイッチ部材を取付けることにより、図２に示す第１、第２スイッチ手段ＳＷ１、ＳＷ２が形成される。すなわち、第１スイッチ手段ＳＷ１は、可動コンタクト端子７の可動接点７Ａが固定コンタクト端子８の固定接点８Ａに接触し、突出湾曲部７Ｃがカード収容穴２４内へ突出した状態となる。また、第２スイッチＳＷ２は、可動コンタクト端子９の可動接点９Ｃが固定コンタクト端子１０の固定接点１０Ａから離れた、すなわち切離された状態で対峙し、係止突起９Ａが外方へ突出した状態となる。
【００６７】
次いで、図６に示すシールドカバー４をハウジング２の後方シールドカバー装着部iiに取付ける。このシールドカバー４の取付けは、対向する両側板４２、４３の間隔を両側板の弾性に抗して広げてハウジング２の側壁２１Ｄ'、２２Ｄ'に当接し、両側板４２、４３の係合穴４２１、４３１をハウジング２の係止突起２１Ｐ、２２Ｐに係合させて固定することにより行われる。その後、このシールドカバー４に図５に示す開閉カバー３を取付ける。この開閉カバー３の取付けは、開閉カバー３の両側板の延出部３２Ａ、３３Ａを両側板の弾性に抗して広げて、これらの延出部に設けた枢軸突起３２１、３３１をシールドカバー４の枢着穴４２２に嵌め込み回動自在に固定する。この開閉カバー３のハウジング２への取付けにより、図１２に示すように、開閉カバー３は開閉が自在となり、この開閉カバー３の開成時にカード収容穴２４の内部を検視することが可能になる。その後、ハウジング２底部の取付け溝２１Ｔ、２２Ｔに図１１に示す左右取付けタブ１１Ｌ、１１Ｒを取付けて、コネクタ１の組み立てを完了する。組み立てたコネクタ１は、不図示のプリント配線基板などに取付けられて使用される。
【００６８】
次に、図１、図２、図１２及び図１３を参照して、カード収容穴２４へのＳＤ及びＭＭＣカード１３、１５の装着及び開閉カバー３の閉成プロセスを説明する。先ず、以下には一方のＭＭＣカード１５をカード収容穴２４内へ装着する場合について説明する。
初めに、ＭＭＣカード１５を装着する前に開閉カバー３を開成する。この開閉カバー３の開成により、カード収容穴２４の内部が露出されてその内部が検視できる状態になる。そこで、装着するＭＭＣカード１５のコンタクト１５ｄ及び位置決め突起１５ｃと、カード収容穴２４内の第１コンタクト端子５の配列状態及び穴形状を対比照合する。この照合結果に基づき、図１に示したＭＭＣカード１５のコンタクト１５ｄを上方に位置させる。なお、ＭＭＣカード１５の表裏が逆になっているときは、コンタクト１５ｄが上方へ向くように変更する。
【００６９】
次いで、ＭＭＣカード１５の位置決め突起１５ｃを設けた第１の側辺１５１を第１フレーム２１の内壁面２１Ｃに、裏面をカード収容穴２４の側底板２５Ｂにそれぞれ当接させ、同時に第２の側辺１５２を第２フレーム２２の側底板２５Ｃ及び内壁面２２Ｃに当接させて挿入する。この挿入過程において、ＭＭＣカード１５の前端部１５ａが開口２３２へ接近すると、ＭＭＣカード１５の第１の側辺１５１が可動コンタクト端子７の突出湾曲部７Ｃに当接して、外方へ押動されて可動コンタクト端子７の可動接点７Ａが固定コンタクト端子８の固定接点８Ａから切離させて第１スイッチＳＷ１がＯＦＦされる。この第１スイッチ手段ＳＷ１のＯＦＦにより、ＭＭＣカード１５が装着されたことが電気的に検知できる（図２参照）。したがって、カードの装着は、装着するＭＭＣカード１５のコンタクト１５ｄ及び位置決め突起１５ｃと、カード収容穴２４内の第１コンタクト端子５の配列状態及び穴形状を対比照合した後に挿入することが可能になり、誤装着することなく極めて簡単に装着することができる。
【００７０】
ＭＭＣカード１５をカード収容穴２４へ差込んだ後に開閉カバー３を閉成する。この閉成操作時に、ＭＭＣカード１５が適正な位置まで差込まれていないと、図１２Ａに示すように、ＭＭＣカード１５の後端部１５ｂがカード収容穴２４の前方の開放口から外へ飛び出してしまう。その結果、この飛び出した部分に開閉カバー３の前方蓋板３４が衝突して開閉カバー３の閉成ができなくなる。したがって、この開閉カバー３のＭＭＣカード１５への衝突により、ＭＭＣカード１５が不完全装着であることが簡単に検知できる。その後、ＭＭＣカード１５が正規の位置まで差込まれると、開閉カバー３の閉成が可能になり開閉カバー３を閉成する。この開閉カバー３の閉成により、前方蓋板３４が前方の開口部を覆うので、塵などの異物の侵入を阻止することができる。
【００７１】
この開閉カバー３の閉成操作に連動して、第２スイッチ手段ＳＷ２が一連のＯＦＦ−ＯＮ−ＯＦＦ動作をする。すなわち、開閉カバー３の閉成前は、第２スイッチ手段ＳＷ２がＯＦＦ状態になっている（図１２Ｂの（Ｂ１）参照）。この状態で開閉カバー３を閉成すると、閉成の最初の段階で開閉カバー３の側板３２の内壁面が第２スイッチ手段ＳＷ２の係止突起９Ａに当接して、この係止突起９Ａが内方へ押し込まれ、第２スイッチ手段ＳＷ２がＯＦＦからＯＮへ切り換わる（図１２Ｂの（Ｂ２）参照）。同時に開閉カバー３の側板３２、３３に設けられた係合穴３２２に係止突起９Ａが入り込み、開閉カバー３が閉成状態にロックされる（図１２Ｂの（Ｂ３）参照）。
【００７２】
次に、カード収容穴２４へＳＤカード１３を装着する場合について説明する。
ＳＤカード１３をカード収容穴２４内へ装着する前に、ＳＤカード１３にガイド部材１４を取付ける。このガイド部材１４の取付けは、ＳＤカード１３を、図１に示すＳＤカード１３の状態、すなわち、ＳＤカード１３の下方（裏面）にコンタクト１３ｄが位置する状態にして、図７Ａに示すＸ１方向からガイド部材１４に差込み挿入する。この挿入によりガイド部材１４が取り付けられたＳＤカード１３は、その第１の側辺１３１が一方の挟持爪１４Ｄに、他辺１３２が他方の挟持爪１４Ｂ、１４Ｂに挟持され、ＳＤカード１３の係止溝１３ｅが係止突起１４Ｅに係止される。なお、ＳＤカード１３をガイド部材１４のＸ２方向から差込み、或いは図１に示すＳＤカード１３をその表裏を逆に、すなわち、上方にコンタクト１３ｂが位置するようにしてガイド部材１４のＸ１又はＸ２方向から差込むと、何れも、その差込みがブロックされて誤取付けであることが検知できる。
【００７３】
このガイド部材１４をＳＤカード１３に取付けた後に、開閉カバー３を開成して、カード収容穴２４内へ挿入する。開閉カバー３が開成されると、カード収容穴２４の内部が露出されるので、ガイド部材１４を取付けたＳＤカード１３の装着は、ＭＭＣカード１５の装着と略同じプロセスで行われる。すなわち、ＳＤカード１３は、位置決め突起１３Ｃを設けた一辺１３１、すなわち、ガイド部材１４を装着した状態で第１側板１４２を第１フレーム２１の内壁面２１Ｃに、他方の第２側板１４３を内壁面２２Ｃに、及び裏面をカード収容穴２４の側底板２５Ｂにそれぞれ当接させて挿入する。この挿入過程において、ガイド部材１４の挟持爪１４Ｂ、１４Ａがハウジング２のガイド溝２５Ｂ'、２５Ｃ'に嵌り込んでスライド移動される。また、ガイド部材１４のガイド片１４Ｃが内壁面２２Ｃに当接してガイドされる。ＳＤカード１３の前端部１３ａが開口２３２へ接近すると、ＳＤカード１３の一辺１３１が可動コンタクト端子７の突出湾曲部７Ｃに当接して、外方へ押動されて可動コンタクト端子７の可動接点７Ａが固定コンタクト端子８の固定接点８Ａから切離させて第１スイッチ手段ＳＷ１がＯＦＦされる。第１スイッチ手段ＳＷ１のＯＦＦにより、ＳＤカード１３が装着されたことを電気的に検知できる。この状態では、ＳＤカード１３の前端部１３ａが開口２３２内に挿入されている。ＳＤカード１３の前端部１３ａが開口２３２へ挿入されると、ＳＤカード１３は開口２３２内で位置決め固定される。また、同時に、ガイド部材１４の隆起部１４Ａがシールドカバー４の下方、すなわち、カード収容穴２４がシールドカバー４で覆われた箇所へ入り込み、隆起部１４Ａがシールドカバー４の内面に当接されてＳＤカード１３を下方へ押し付ける。この押し付けにより、ＳＤカード１３の裏面のぞれぞれのコンタクト１３ｄが第２コンタクト端子６のそれぞれの接点６Ａに圧接されて良好な電気的接続がなされる（図１３Ｃ、図１３Ｄ参照）。ＳＤカード１３をカード収容穴２４内へ挿入した後に開閉カバー３を閉成する。この閉成操作は、ＭＭＣカード１５のときと同じプロセスで行われる。したがって、ＳＤカード１３にガイド部材１４を取付けて、カード収容穴２４へ装着することにより、収容穴２４内に隙間が発生してもＳＤカード１３がガイド部材１４で保持されているので、振動などが加わっても移動することがなく接触不良を起すことがなくなる。
【００７４】
なお、上記実施形態のカード用コネクタ１は、ＳＤカード１３及びＭＭＣカード１５に適用するものとして説明したが、これらのカードに限定されるものではない。
【図面の簡単な説明】
【００７５】
【図１】本発明の実施の形態に係るカード用コネクタの使用形態を説明する概要図である。
【図２】図１のカード用コネクタのII−II線断面図である。
【図３】コネクタハウジングを示し、図３Ａは平面図、図３Ｂは斜視図である。
【図４】コネクタハウジングを示し、図４Ａは図３Ｂのハウジングを別の角度から見た斜視図、図４Ｂは背面図である。
【図５】開閉カバーの斜視図である。
【図６】シールドカバーの斜視図である。
【図７】ガイド部材を示し、図７Ａは斜視図、図７Ｂは図７Ａのガイド部材を１８０度回転した斜視図、図７Ｃは図７Ａのガイド部材をＸ２方向からみた側面図である。
【図８】一対のコンタクト端子を示し、図８Ａは第１コンタクト端子の斜視図、図８Ｂは第２コンタクト端子の斜視図である。
【図９】第１スイッチ部材を示し、図９Ａは可動コンタクト端子の斜視図、図９Ｂは固定コンタクト端子の斜視図である
【図１０】第２スイッチ部材を示し、図１０Ａは可動コンタクト端子、図１０Ｂは固定コンタクト端子の斜視図である。
【図１１】取付けタブを示し、図１１Ａは左取付けタブの斜視図、図１１Ｂは右取付けタブの斜視図である。
【図１２】開閉カバーの閉成操作を説明するもので、図１２Ａは斜視図、図１２Ｂは図１１ＡのXIIB部分の側面図である。
【図１３】カード用コネクタへのカードの装着状態を説明する説明図であって、図１３Ａは斜視図、図１３Ｂは図１３ＡのXIII−XIII線の断面図、図１３Ｃ及び図１３ＤはＳＤカードが装着された状態での図１３Ｂに対応する断面図、図１３ＥはＭＭＣカードが装着された状態での図１３Ｂに対応する断面図である。
【符号の説明】
【００７６】
１          カード用コネクタ（コネクタ）
２          コネクタハウジング（ハウジング）
３          開閉カバー
４          シールドカバー
５、６      コンタクト端子
７、９      可動コンタクト端子
８、１０    固定コンタクト端子
１３、１５  カード
１４        ガイド部材
２１〜２３  フレーム
２４        カード収容穴
【図１】
2008305786.tif 000003
【図２】
2008305786.tif 000004
【図３】
2008305786.tif 000005
【図４】
2008305786.tif 000006
【図５】
2008305786.tif 000007
【図６】
2008305786.tif 000008
【図７】
2008305786.tif 000009
【図８】
2008305786.tif 000010
【図９】
2008305786.tif 000011
【図１０】
2008305786.tif 000012
【図１１】
2008305786.tif 000013
【図１２】
2008305786.tif 000014
【図１３】
2008305786.tif 000015